(57)【要約】【課題】本体１の高さを低く構成すると共に、調理を行う際の調理時間を短縮できる加熱調理器を提供する。【解決手段】被加熱物３を収納する加熱室２と、被加熱物３を輻射又は熱風によって加熱する加熱手段と、被加熱物３をマグネトロン７ａで発生させたマイクロ波で加熱する高周波発生部７と、を備え、加熱手段と高周波発生部７を同時に駆動し、被加熱物３を調理するものであり、これにより被加熱物３の調理時間を短くすることができる。【選択図】図１
2011102661.tif 000002
【特許請求の範囲】
【請求項１】
被加熱物を収納する加熱室と、
該被加熱物を輻射又は熱風によって加熱する加熱手段と、
該被加熱物を高周波発生器で発生させたマイクロ波で加熱する高周波発生部と、
を備え、
前記加熱手段と前記高周波発生部を同時に駆動し、前記被加熱物を調理することを特徴とする加熱調理器。
【請求項２】
前記加熱室の内部高さを、１３５〜１６０ｍｍにすることを特徴とする請求項１に記載の加熱調理器。
【発明の詳細な説明】
【技術分野】
【０００１】
本発明は、被加熱物を高周波加熱と、輻射又は熱風による加熱を同時に行い被加熱物を調理する加熱調理器に関するものである。
【背景技術】
【０００２】
近年、食品を加熱調理する装置として、例えばオーブンやグリルといわれる、ふく射または対流加熱によって食品外側から熱を供給し加熱するものと、例えば電子レンジといわれる、マイクロ波を照射して食品内の水分子を振動させることで食品内部から加熱するものがある。また、これら二つの機能を両方備え持った一般的にオーブンレンジといわれる複合加熱調理機器がある。このような複合加熱調理機器は、例えばパーティー料理となるローストチキンや大型のシフォンケーキなどのさまざまな調理を可能にするために、食品を収納し加熱調理する加熱室の高さは２２０ｍｍ以上と大きく構成されている。このため、このような複合加熱調理機器では、特にふく射または対流加熱によって調理を行う際に、食品と加熱源との距離が遠くなり、加熱能力が低下するという課題があった。また、機器の熱容量が大きくなり、食品が温まるのが遅い、長い予熱時間が必要、更に次調理を行う前に長い放冷時間が必要という課題があった。また、複合加熱調理機器を設置するのに広いスペースが必要となり、特にキッチンスペースの狭い住居において、複合加熱調理機器を設置することが難しいという課題があった。
このような課題を解消する方法の一つとして、例えば加熱室高さを１２０ｍｍ以下とした薄型の高周波加熱装置がある（例えば、特許文献１参照。）。
【先行技術文献】
【特許文献】
【０００３】
【特許文献１】特開平５−７４５６１号公報（図１）
【発明の概要】
【発明が解決しようとする課題】
【０００４】
しかしながら、上記の特許文献１の高周波加熱装置によれば、加熱室の高さが低くなるので、食品と加熱源との距離が近くなり加熱能力を向上させたり、機器の熱容量を小さくしたり、複合加熱調理機器の設置スペースを小さくすることが可能であるが、更なる調理時間の短縮が望まれていた。
【０００５】
本発明は、上述のような課題を解決するためになされたものであり、本体の高さを低く構成すると共に、調理を行う際の調理時間を短縮できる加熱調理器を提供することを目的とするものである。
【課題を解決するための手段】
【０００６】
本発明に係る加熱調理器は、被加熱物を収納する加熱室と、該被加熱物を輻射又は熱風によって加熱する加熱手段と、該被加熱物を高周波発生器で発生させたマイクロ波で加熱する高周波発生部と、を備え、前記加熱手段と前記高周波発生部を同時に駆動し、前記被加熱物を調理するものである。
【発明の効果】
【０００７】
本発明に係る加熱調理器によれば、加熱手段と高周波発生部を同時に駆動することにより、被加熱物の調理時間を短くすることができる加熱調理器を得ることができる。
【図面の簡単な説明】
【０００８】
【図１】本発明の実施の形態１に係る加熱調理器の外観斜視図。
【図２】本発明の実施の形態１に係る加熱調理器の中央縦断面図。
【発明を実施するための形態】
【０００９】
実施の形態１．
以下、本発明の実施の形態１について、図１、図２を用いて説明する。
図１は本発明の実施の形態１に係る加熱調理器の外観斜視図であり、図２は本発明の実施の形態１に係る加熱調理器の中央縦断面図である。
【００１０】
図１に示すように、１は加熱調理機器の本体、２は被加熱物３が収納される加熱室であり、加熱室２は脱臭塗料などが塗られた金属板を箱状に形成して構成されている。４は本体１の前面に設けられた扉であり、扉４には調理中に加熱室２内を見るための窓４ａやチョーク構造など高周波漏洩低減手段４ｂが設けられている。また、扉４の上方の中央には、扉４の開閉時に使用者が持つ取っ手４ｃが設けられている。５は加熱手段の一つである加熱室２の天井面に固定された上面加熱ヒータであり、上面加熱ヒータ５は５００Ｗのシーズヒータを折り曲げて形成し、これにより加熱室２内を均一に加熱できるように構成されている。６は、加熱室２背面に設けられたファン６ａとファン６ａ近傍に取り付けられた送風空気加熱ヒータ６ｂで構成されたコンベクションヒータであり、加熱手段の一つである。コンベクションヒータ６は、ファン６ａによって加熱室２内の空気を加熱室２背面に設けられた吸気孔２ａから吸引し、吸気孔２ａから吸引された空気を送風空気加熱ヒータ６ｂが加熱し、送風空気加熱ヒータ６ｂによって加熱された熱風は加熱室２背面に設けられた排気孔２ｂから加熱室２内に戻って加熱室２内に収納された被加熱物３を加熱する。
【００１１】
７は高周波発生部で、高周波発生器であるマグネトロン７ａと、商用交流電源からの交流電力を変換してマグネトロン７ａへ供給し駆動させる電源回路７ｂからなる。マグネトロン７ａは、マグネトロン７ａから加熱室２の床下に向かって伸びる導波管８の一端に連通し、導波管８の他端は加熱室２下部に設けられたアンテナ室９に連通しており、導波管８はマグネトロン７ａが発生するマイクロ波を、アンテナ室９を介して加熱室２内に導くものである。アンテナ室９には、マイクロ波の進行方向を調節するアンテナ１０が備えられており、アンテナ１０はモータ１１によって回転可能に設けられている。このような構成にすることにより、マグネトロン７ａが発生するマイクロ波を、加熱室２内に均一に放射し、加熱室２内に置かれた被加熱物３を均一に加熱することができる。
【００１２】
１２は加熱室２の両側壁に凸状に設けられた角皿スライド用のレールである。また、１３は加熱調理器の運転を操作する操作部であり、電源のオンオフスイッチや取り消しボタン、自動メニューの選択ボタン、温度や加熱モードの選択スイッチ、加熱調理中の加熱室２内の温度、選択した加熱設定やメニューが視認できる表示部が備えられている。
【００１３】
ここで、加熱室２内空間の高さは望ましくは１３５〜２２０ｍｍ、より望ましくは１３５〜１８０ｍｍ、さらに望ましくは１３５〜１６０ｍｍである。この高さは、加熱室２内に収納した被加熱物３を出し入れするために、加熱室２内に手を入れて作業しやすい最低限の高さであり、例えば雑巾で加熱室２内を清掃する際に手を上下回動させる作業を円滑に行なうための必要最低限の高さでもある。また、上面加熱ヒータ５によって被加熱物３の表面全体に良い焼き色をつけることが可能な高さである。また、JISでオーブンレンジの性能を測る容器が収納できるギリギリの高さでもある。加熱室２の横幅と奥行きは従来からある加熱調理機器と同程度の寸法であり、例えば３１０Ｗ×３１０Ｄ[ｍｍ]である。この寸法であれば、日常使用するもの、例えば高さのあるものとしてマグカップ、横幅あるものとしてφ３００ｍｍ皿、幅も高さもあるものとして、オーブン用の鍋（例えばφ２００×９０Ｈ[ｍｍ])やレンジ用の調理器具（炊飯器や蒸し鍋など）も入れることができる。また一般的な冷凍食品のパック、温めなおす必要のあるデリバリーのピザ、スポンジケーキ型なども問題なく入れることができる。また、加熱室２の高さが従来に比べ低いので奥が見づらくなる可能性があるが、扉４を開いたときに、扉４の上面と加熱室２の床面がほぼフラットになるように構成しているので、加熱室２に収納した被加熱物３を容易に取り出すことが出来る。
なお、加熱室２の高さは、ほとんどの容器が収納でき、かつ省エネルギー性を維持できる高さであればよく、１３５ｍｍに限定するものではない。
【００１４】
また、加熱調理機器の本体１の高さは望ましくは２３０〜３１５ｍｍ、より望ましくは２３０〜２７５ｍｍ、さらに望ましくは２３０〜２５５ｍｍである。横幅と奥行きは従来からある加熱調理機器と同程度の寸法であり、例えば５００Ｗ×３８０Ｄ[ｍｍ]である。ここで、加熱調理機器の本体１を設置する際は、一般的に消防法の制約で本体１外側上面から家具まで１０〜２０ｍｍの隙間を空ける必要があるため、一般的な背の高いレンジボード（レンジを設置できるスペースの高さは約５００ｍｍ）に設置不可の場合が多かった。しかしながら、本発明の加熱調理器の本体１の高さ寸法であれば、レンジボードを選ばずに設置できる。また、この本体１の高さは、スクエアタイプの炊飯器とほぼ同等の高さであり、配色など外観を統一することで、並べて設置したときにキッチンの統一感を向上させた意匠性向上を実現できる。また、本体角１ａを湾曲させ、スクエアタイプの炊飯器と互いの意匠性をより近づけるような構成にしても良い。
なお、本体１の高さは、加熱室２の高さを維持できるものであればよく、２３０ｍｍに限定するものではない。
【００１５】
このように本体１や加熱室２の容積を小さくすることにより、従来の加熱調理機器よりも、少ないエネルギー量で被加熱物３を加熱することができる。また、加熱室２内の温度上昇も早く、且つ加熱室２を設定温度で安定させやすくなる。これは、従来の加熱調理機器と比べて本発明の加熱調理器は加熱室２や本体１を小さく構成しているので、（１）無駄な加熱室２内空間への加熱が少なくなる、（２）加熱室２を構成する壁へ投入される熱容量が小さくなる、（３）加熱室２壁面の面積が減りの加熱室２の外側壁面から外へ放熱する放熱量が減る、という効果が得られるからである。また、本体１や加熱室２の熱容量が減ることにより、例えば加熱室２の予熱に時間かかる、加熱室２や本体１が冷めにくい、という従来の加熱調理器のデメリットを軽減できる。
【００１６】
次に、扉４について、詳細な説明をする。
扉４は、図示しないヒンジによって、扉４が本体１前面（つまりは使用者側）に縦開きに開けることができる。このように扉４を開けるよう構成することにより、扉４を開けるのに必要な力が少なくて済む。また、本体１の高さが低いので、扉４が開いたときに従来の加熱調理器よりも扉４が手前に出てくる幅が狭いので、使用者は加熱室２内の奥まで手が届きやすく、これにより被加熱物３の出し入れが容易になったり、加熱室２内の清掃性が向上する。また、取っ手４ｃは扉４の上面に取り付けられているので、使用者が加熱調理器の近くを通過する際に、取っ手４ｃにぶつかることなく、スムーズに調理作業を行なうことができる。なお、取っ手４ｃは扉４の上方に設置してあれば良く、例えば両手を使って開けられるように扉４の左右、または使用者が如何様にも開けやすいように扉４上面の端から端まで亘って設置されていてもよい。また、扉４の左右に取っ手４ｃを設ける際は、扉４の側方に取っ手４ｃを設けることにより、高温になりやすい扉４上方よりもやけどの危険性が少なくてよい。また、取っ手４ｃを凸状に構成することにより、本体１や扉４に直接触れないで、扉４を開けることができ、これによってやけどなどの危険性を減らすことができる。また、取っ手４ｃを凸状に構成することにより、扉４内に形成される高周波漏洩低減手段４ｂを設置するスペースが取りやすいというメリットもある。
【００１７】
さらに扉４の別形態として、扉４の厚みよりも取っ手４ｃの凸状部分を厚くし、扉４を開けたときに上突起となるようにしても良い。これにより、加熱室２内のものを取り出す際に、使用者の腕が直接扉４の加熱室２側に当たることがなく、ヤケドの心配が軽減される。また、加熱室２内の食品が、扉４上を滑って外へ出てくることを防止できる。
さらに扉４の別形態として、取っ手４ｃをくぼみ状に形成してもよい。これにより、取っ手４ｃに手をかけやすく、また意匠的にすっきりして見えて良い。ここでくぼみ状の取っ手４ｃは、凸状の場合と同様に、扉４の中央にあってもよいし、扉４の左右側面にあってもよいし、扉４の横幅いっぱいに設けても良い。
さらに扉４の別形態として、扉４を横開きにしてもよい。これにより、加熱室２内への被加熱物３の出し入れが容易になる。ここで、取っ手４ｃ形状や位置は上述のような位置に設ければ良い。
また、扉４の別形態として、扉４を開けたときに被加熱物３を戴置している棚が、前方にスライドできるように構成しても良い。これにより、加熱調理前後の被加熱物３の出し入れがスムーズになり、特に加熱調理後に加熱室２の熱くなっている壁面に接触する危険性がなくなるため安全である。このスライドは自動で行えるようにしても良い。
さらに扉４の別形態として、扉４と被加熱物３を戴置する棚を一体に形成し、扉４を手前にスライドして開いた時に、加熱室２に収納された被加熱物３も一緒に引き出せるように構成してもよい。これにより被加熱物３の出し入れ性が向上する。また、扉４のスライドは自動で行えるように構成しても良い。
【００１８】
また、上面加熱ヒータ５のヒータ種類を限定するものではなく、例えばフラットヒータを用いて、加熱室２上面の清掃性を向上させても良い。また、ガラス管ヒータを用いて、加熱する際のふく射成分を増加し、より被加熱物３表面の加熱速度を速め、例えば肉の表面を焼き固め肉汁に含まれるおいしさを逃がさずに調理できるようにしてもよい。
また、扉４に設けられた高周波漏洩量低減手段４ｂは、実施の形態１の方式に限定されるものでなく、高周波の漏洩を防ぐことができるものであれば良い。
【００１９】
次に、本発明の実施の形態１に係る加熱調理器の加熱動作について説明する。
本発明の加熱調理器が有する加熱方法としては、高周波発生部８を用いた高周波加熱、上面加熱ヒータ５を用いたオーブン加熱、およびコンベクションヒータ６を用いたグリル加熱の３つを備えており、更に高速調理機能として、高周波加熱とオーブン加熱又はグリル加熱を同時に行うハイブリッド加熱を備えている。
【００２０】
上記の高周波加熱、オーブン加熱、グリル加熱は、従来の加熱調理器でも備えているが、本発明の加熱調理器の加熱室２の形状を用いることにより、以下の様な効果を得ることができる。まず、高周波加熱では、従来の加熱調理器と比較して、加熱室２の容積を小さくすることにより、マイクロ波が加熱室２内を多重反射するので、加熱室２内に収納された被加熱物３を効率良く加熱することができる。次に、オーブン加熱では、従来の加熱調理器と比較して、加熱室２の高さを低くすることにより、被加熱物３と上面加熱ヒータ５との距離が短くなり、高温の輻射熱を被加熱物３へ当てることができるので、被加熱物３に容易に焦げ目をつけることが出来る。最後に、グリル加熱では、従来の加熱調理器と比較して、加熱室２の容積を小さくすることにより、対流する空気の総量が減るので、より速く加熱室２内の空気を加熱することができる。
上記のように、従来の加熱調理器と比較して、本発明の加熱調理器は加熱能力が向上されており、これにより、例えば油脂が少なく従来焦げ目がつくまでに水分が抜けすぎてしまった野菜のグリルなどをパサパサにせずに調理できたり、クレームブリュレの様に表面を焦がす調理にも用いることができたり、トーストも中の水分が余分に逃げないうちに焼き色をつけることができる。
【００２１】
次に、高周波加熱とオーブン加熱又はグリル加熱を同時に行うハイブリッド加熱について説明する。
ハイブリッド加熱とは、マイクロ波によって被加熱物３の内部から加熱する高周波加熱と、輻射や熱風によって被加熱物３の表面から加熱するオーブン加熱又はグリル加熱を同時に行うことにより、被加熱物３を速く加熱調理できるという効果を得ることが出来るものである。加えて、ハイブリッド加熱を行うことにより、以下の様な効果も得られる。
【００２２】
例えば、加熱調理済みのフライをあたためる場合、高周波加熱のみであたためると、衣の中の食材を加熱したときに出る水分が周囲の衣に移り、衣がべちゃべちゃになることがある。これに対し、ハイブリット加熱の場合は、高周波加熱は主に衣の中の食材を温め、オーブン加熱又はグリル加熱は主にフライ表面を加熱する。これにより、衣の中の食材から水分が衣に移っても、衣はオーブン加熱又はグリル加熱によって加熱されているので余分な水分は蒸発する。これにより、従来より美味しく加熱調理済みのフライをあたためることが出来る。また、オーブン加熱又はグリル加熱のみであたためた場合より、速く被加熱物３を加熱することが出来る。
【００２３】
また、例えば、低温状態の食材である冷凍食品を温める場合、ハイブリッド加熱を行うことにより、冷凍食品の内と外から加熱することが出来るので、従来よりも速くまた均一に加熱することが可能となる。また、表面が焦げ易く固まり易い食材をあたためる場合も、同様に従来よりも速くまた均一に加熱することが可能となる。
また、例えば、グラタンなど加熱時間のことなる食材が混ざっているものを加熱調理する場合、従来までは、先に長時間加熱が必要なもの（グラタンであれば中の食材）を別途加熱調理し、その後、調理した食材にホワイトソースを加えてオーブン加熱又はグリル加熱で焼き色をつけるという、２段階を踏む必要があった。しかし、ハイブリット加熱の場合は、生の食材(肉、ジャガイモなど)のまま加熱調理を開始し、高周波加熱によって生の食材を加熱調理し、オーブン加熱又はグリル加熱によって表面のホワイトソースを加熱し焼き色をつけることができる。このように、１度に加熱調理を行うことが出来る。
また、例えば、食材内部の水分を閉じ込めて調理したいハンバーグを加熱調理する場合、上記の場合よりもオーブン加熱又はグリル加熱による加熱比率を大きくしてハイブリット加熱を行うことにより、ハンバーグの表面が先に加熱調理されるので、ハンバーグ内部の肉汁が外に流出するのを抑制しつつ、ハンバーグ内部まで速く加熱調理することが出来る。
【００２４】
また、オーブン加熱を行う加熱手段の別形態として、上面加熱ヒータ５に加えて、加熱室２の床面に下加熱ヒータを取り付けた構成にしても良い。これにより被加熱物３を上下方向から輻射加熱することができ、被加熱物３の上下方向の加熱ムラを減らすことが出来る。また、加熱室２の床面は容器と接触することから、下加熱ヒータとして、IＨコイルを用いた誘導加熱を利用してもよい。この場合、容器を直に加熱するので加熱室２床面の温度が上がりにくく、調理後の清掃時にやけどをする恐れが少なくなる。また、フライパン調理のイメージに近くなるので、使用者がフライパンを用いたときの経験に基づいて調理作業を円滑に行うことが出来る。
また、加熱室２側面に加熱手段としてヒータを設けても良い。これにより、万が一、ヒータが加熱室２内に脱落しても、中の被加熱物３は損傷することがない。
【符号の説明】
【００２５】
１  本体、１ａ  本体角、２  加熱室、２ａ  吸気孔、２ｂ  排気孔、３  被加熱物、４  扉、４ａ  窓、４ｂ  高周波漏洩低減手段、４ｃ  取っ手、５  上面加熱ヒータ、６  コンベクションヒータ、６ａ  ファン、６ｂ  送風空気加熱ヒータ、７  高周波発生部、７ａ  マグネトロン、７ｂ  電源回路、８  導波管、９  アンテナ室、１０  アンテナ、１１  モータ、１２  レール、１３  操作部
【図１】
2011102661.tif 000003
【図２】
2011102661.tif 000004